(57)【要約】【課題】複数の色変換プロファイルの色再現域を容易に比較する。【解決手段】第１色空間における座標値とインク量との対応付けに関する情報を含む第１色変換プロファイルと、前記第１色空間とは異なる第２色空間における座標値とインク量との対応付けに関する情報を含む第２色変換プロファイルとの入力を受け付けるプロファイル受付部と、前記第１色空間の三次元形状を示す第１画像情報と、前記第２色空間の三次元形状を示す第２画像情報とをそれぞれ生成する画像情報生成部と、前記第１画像情報に基づく三次元形状を表す第１画像と、前記第２画像情報に基づく三次元形状を表す第２画像とを並べて表示装置に表示させる表示制御部と、を有する、画像表示制御装置。【選択図】図４
2020205563.tif 000002
【特許請求の範囲】
【請求項１】
第１色空間における座標値とインク量との対応付けに関する情報を含む第１色変換プロファイルと、第２色空間における座標値とインク量との対応付けに関する情報を含む第２色変換プロファイルとの入力を受け付けるプロファイル受付部と、
前記第１色空間の三次元形状を示す第１画像情報と、前記第２色空間の三次元形状を示す第２画像情報とをそれぞれ生成する画像情報生成部と、
前記第１画像情報に基づく三次元形状を表す第１画像と、前記第２画像情報に基づく三次元形状を表す第２画像とを並べて表示装置に表示させる表示制御部と、を有する、
画像表示制御装置。
【請求項２】
前記第１画像および前記第２画像の表示形式に関する複数の設定から選択される１以上の設定を受け付ける設定受付部を有する、
請求項１に記載の画像表示制御装置。
【請求項３】
前記第１画像および前記第２画像に対する共通の操作を受け付ける共通操作受付部を有する、
請求項１または２に記載の画像表示制御装置。
【請求項４】
前記第１画像および前記第２画像に対する個別の操作を受け付ける個別操作受付部を有する、
請求項１から３のいずれか１項に記載の画像表示制御装置。
【請求項５】
前記第１画像は、前記第１色空間の座標値ごとのインク量を示し、
前記第２画像は、前記第２色空間の座標値ごとのインク量を示す、
請求項１から４のいずれか１項に記載の画像表示制御装置。
【請求項６】
前記表示制御部は、前記第１画像と前記第２画像とを重ねて表示する比較表示モードを実行可能であり、
前記比較表示モードは、前記第１色空間の三次元形状と前記第２色空間の三次元形状との相違に基づく領域ごとに、前記第１画像および前記第２画像のうちの一方を他方に対して透過させる、
請求項１から５のいずれか１項に記載の画像表示制御装置。
【請求項７】
第１色空間における座標値とインク量との対応付けに関する情報を含む第１色変換プロファイルと、第２色空間における座標値とインク量との対応付けに関する情報を含む第２色変換プロファイルとの入力を受け付け、
前記第１色空間の三次元形状を示す第１画像情報と、前記第２色空間の三次元形状を示す第２画像情報とをそれぞれ生成し、
前記第１画像情報に基づく三次元形状を表す第１画像と、前記第２画像情報に基づく三次元形状を表す第２画像とを並べて表示装置に表示させる、
画像表示制御方法。
【発明の詳細な説明】
【技術分野】
【０００１】
本発明は、画像表示制御装置および画像表示制御方法に関する。
【背景技術】
【０００２】
複数色のインクを用いるインクジェット方式の印刷装置では、一般に、色空間における座標値とインク量との対応付けに関する情報を含む色変換プロファイルを用いて、当該複数色のインクの色ごとの噴射量が決定される。
【０００３】
例えば、特許文献１に開示されるように、色変換プロファイルにおける色空間を表す色空間画像をディスプレイに表示させる装置が知られている。特許文献１に記載の装置では、ディスプレイに表示される一覧からユーザーにより１つの色変換プロファイルが指定され、当該１つの色変換プロファイルについての色空間画像がディスプレイに表示される。
【先行技術文献】
【特許文献】
【０００４】
【特許文献１】特開２０１６−５８７６５号公報
【発明の概要】
【発明が解決しようとする課題】
【０００５】
しかし、特許文献１に記載の装置では、ディスプレイに表示される色空間画像の数が１つであるため、複数の色変換プロファイルについて色空間画像を比較することができないという課題がある。
【課題を解決するための手段】
【０００６】
本発明の画像表示制御装置の一態様は、第１色空間における座標値とインク量との対応付けに関する情報を含む第１色変換プロファイルと、第２色空間における座標値とインク量との対応付けに関する情報を含む第２色変換プロファイルとの入力を受け付けるプロファイル受付部と、前記第１色空間の三次元形状を示す第１画像情報と、前記第２色空間の三次元形状を示す第２画像情報とをそれぞれ生成する画像情報生成部と、前記第１画像情報に基づく三次元形状を表す第１画像と、前記第２画像情報に基づく三次元形状を表す第２画像とを並べて表示装置に表示させる表示制御部と、を有する。
【０００７】
本発明の画像表示制御方法の一態様は、第１色空間における座標値とインク量との対応付けに関する情報を含む第１色変換プロファイルと、第２色空間における座標値とインク量との対応付けに関する情報を含む第２色変換プロファイルとの入力を受け付け、前記第１色空間の三次元形状を示す第１画像情報と、前記第２色空間の三次元形状を示す第２画像情報とをそれぞれ生成し、前記第１画像情報に基づく三次元形状を表す第１画像と、前記第２画像情報に基づく三次元形状を表す第２画像とを並べて表示装置に表示させる。
【図面の簡単な説明】
【０００８】
【図１】実施形態に係る画像表示制御装置を用いるシステムの構成例を示す概略図である。
【図２】色変換プロファイルの構成例を示す図である。
【図３】表示に用いる色変換プロファイルの選択を受け付けるための表示例を示す図である。
【図４】複数の色変換プロファイルについて色空間の三次元形状を表す画像を並べる表示例を示す図である。
【図５】色空間の三次元形状を表す画像に対する操作を説明するための図である。
【図６】色空間の三次元形状を表す画像に対する視点の設定を受け付けるための表示例を示す図である。
【図７】視点ごとの画像の表示例を示す図である。
【図８】表示に用いる色変換プロファイルの情報の選択を受け付けるための表示例を示す図である。
【図９】描画設定ごとの画像の表示例を示す図である。
【図１０】固定入力ｃｈ設定による画像の表示例を示す図である。
【図１１】カラー設定ごとの画像の表示例を示す図である。
【図１２】格子点数の変更による画像の表示例を示す図である。
【図１３】色空間の三次元形状を表す画像に対する共通操作または個別操作の設定を受け付けるための表示例を示す図である。
【図１４】共通操作による画像の遷移の一例を示す図である。
【図１５】３つの色変換プロファイルを表示に用いる場合の描画設定を説明するための模式図である。
【図１６】色空間の三次元形状を表す画像に対する視点の変更方法の一例を説明するための図である。
【図１７】色空間の体積を比較する場合の画像の一例を示す図である。
【図１８】実施形態に係る画像表示制御装置の動作を示すフローチャートである。
【図１９】実施形態に係る画像表示制御装置の動作を示すフローチャートである。
【図２０】表示に用いる色変換プロファイルの情報の選択を受け付けるための表示の変形例を示す図である。
【発明を実施するための形態】
【０００９】
以下、添付図面を参照しながら本発明に係る好適な実施形態を説明する。なお、図面において各部の寸法または縮尺は実際と適宜に異なり、理解を容易にするために模式的に示している部分もある。また、本発明の範囲は、以下の説明において特に本発明を限定する旨の記載がない限り、これらの形態に限られない。
【００１０】
１．実施形態
１−１．画像表示制御装置１を用いるシステム１００の概要
図１は、実施形態に係る画像表示制御装置１を用いるシステム１００の構成例を示す概略図である。システム１００は、出力デバイスの色合わせに用いる１以上の色変換プロファイルＤｎにおける色空間の三次元形状を表示するシステムである。色変換プロファイルＤｎは、色空間における座標値とインク量との対応付けに関する情報を含む。当該色空間は、例えば、ＲＧＢ色空間またはＣＭＹＫ色空間等の機器従属色空間である。当該インク量は、当該出力デバイスである印刷装置３００が用いる複数色のインクのそれぞれについて印刷媒体の印刷面に対する単位面積あたりの噴射量である。例えば、色変換プロファイルＤｎは、ＩＣＣ（International Color Consortium）の規定に準拠して作成される。当該三次元形状は、例えば、ＣＩＥＬＡＢ色空間またはＸＹＺ色空間等の機器独立色空間において表される形状である。
【００１１】
システム１００は、画像表示制御装置１と表示装置２００と印刷装置３００とを有する。画像表示制御装置１は、表示装置２００および印刷装置３００のそれぞれに対して通信可能に接続される。なお、印刷装置３００は、省略してもよい。
【００１２】
表示装置２００は、画像表示制御装置１による制御のもとで表示を行う装置である。例えば、表示装置２００は、液晶表示パネルまたは有機ＥＬ（electro-luminescence）表示パネル等の各種の表示パネルを含む表示装置である。なお、表示装置２００は、画像表示制御装置１と別体でも一体でもよい。また、表示装置２００は、二次元表示のデバイスに限定されず、三次元表示のデバイスでもよい。
【００１３】
印刷装置３００は、画像表示制御装置１による制御のもとでインクジェット方式により印刷媒体に印刷するプリンターである。印刷媒体は、インクジェット方式により印刷可能な媒体であればよく、特に限定されず、例えば、各種紙、各種布または各種フィルム等である。図１に示す印刷装置３００は、シアン、マゼンタ、イエローおよび黒の４色のインクを噴射するインク噴射ヘッド３１０を有する。また、図示しないが、印刷装置３００は、印刷媒体を所定方向に搬送する搬送機構と、インク噴射ヘッド３１０を当該印刷媒体の搬送方向に直交する軸に沿って反復的に移動させる移動機構と、を有する。
【００１４】
インク噴射ヘッド３１０は、シアンのインクを噴射するＣ噴射部３１１Ｃと、マゼンタのインクを噴射するＭ噴射部３１１Ｍと、イエローのインクを噴射するＹ噴射部３１１Ｙと、黒のインクを噴射するＫ噴射部３１１Ｋと、を有する。これらの噴射部は、それぞれ、処理装置１０による制御のもとで、図示しないインク容器から供給されるインクを図示しない複数のノズルから印刷媒体に噴射する。より具体的には、各噴射部は、図示しない圧力室および駆動素子をノズル毎に有しており、圧力室内の圧力を駆動素子により変動させることで当該圧力室内のインクをノズルから噴射する。駆動素子は、例えば圧電素子または発熱素子である。以上の印刷装置３００では、インク噴射ヘッド３１０の往復移動とインクの噴射とが並行して行われることで、印刷媒体の印刷面に画像が形成される。
【００１５】
なお、インク噴射ヘッド３１０を往復移動させる移動機構は、省略してもよい。この場合、例えば、インク噴射ヘッド３１０を印刷媒体の搬送方向に直交する幅方向の全域にわたって設ければよい。また、インク噴射ヘッド３１０が噴射するインクの色の数は、前述の４色に限定されず、３色以下または５色以上でもよい。
【００１６】
画像表示制御装置１は、複数の色変換プロファイルＤｎから選択される１以上の色変換プロファイルＤｎに関する情報を表示装置２００に表示させるコンピューターである。特に、画像表示制御装置１では、複数の色変換プロファイルＤｎから選択される２以上の色変換プロファイルＤｎにおける色空間の三次元形状を並べて表示装置２００に表示させることが可能である。当該三次元形状は、色変換プロファイルＤｎの色再現域を表す。このため、ユーザーは、複数の色変換プロファイルＤｎについて当該三次元形状を比較することで、当該複数の色変換プロファイルＤｎの色再現域の比較評価を行うことができる。
【００１７】
本実施形態では、複数の色変換プロファイルＤｎは、第１色変換プロファイルの一例である色変換プロファイルＤ１と、第２色変換プロファイルの一例である色変換プロファイルＤ２と、第３色変換プロファイルの一例である色変換プロファイルＤ３と、を含む。ここで、「２つの画像が並ぶ」とは、当該２つの画像の一部同士が重なる場合と、当該２つの画像の一方の一部と他方の全部とが重なる場合とを含む概念である。ただし、当該２つの画像は、重ならずに表示されることが好ましい。
【００１８】
なお、画像表示制御装置１には、図示しないサーバーが通信可能に接続されており、当該サーバーから画像表示制御装置１へ複数の色変換プロファイルＤｎが入力される。なお、当該サーバーは、画像表示制御装置１に対して、インターネットを含むネットワークを介して接続されてもよい。また、以下では、複数の色変換プロファイルＤｎが３つの色変換プロファイルＤ１、Ｄ２およびＤ３を含む場合を例に説明するが、これに限定されず、色変換プロファイルＤｎの数は、２以上であればよい。
【００１９】
１−２．画像表示制御装置１の構成
図１に示すように、画像表示制御装置１は、処理装置１０と記憶装置２０と入力装置３０と通信装置４０とを有する。これらは、互いに通信可能に接続される。
【００２０】
処理装置１０は、画像表示制御装置１の各部を制御する機能、および各種データを処理する機能を有する装置である。処理装置１０は、例えば、ＣＰＵ（Central Processing Unit）等のプロセッサーを含んで構成される。なお、処理装置１０は、単一のプロセッサーで構成されてもよいし、複数のプロセッサーで構成されてもよい。また、処理装置１０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００２１】
記憶装置２０は、処理装置１０が実行する各種プログラム、および処理装置１０が処理する各種データを記憶する装置である。記憶装置２０は、例えば、ハードディスクドライブまたは半導体メモリーを含んで構成される。なお、記憶装置２０の一部または全部は、画像表示制御装置１の外部の記憶装置またはサーバー等に設けてもよい。
【００２２】
本実施形態の記憶装置２０には、画像表示制御プログラムＰ１および複数の色変換プロファイルＤｎが記憶される。後に詳述するが、画像表示制御プログラムＰ１は、処理装置１０で実行されることで、画像表示制御装置１の各種機能を実現する。なお、画像表示制御プログラムＰ１は、画像表示制御装置１の外部の記憶装置またはサーバー等に記憶されてもよい。
【００２３】
入力装置３０は、ユーザーからの操作を受け付ける機器である。例えば、入力装置３０は、タッチパッド、タッチパネルまたはマウス等のポインティングデバイスを含んで構成される。ここで、入力装置３０は、タッチパネルを含んで構成される場合、表示装置２００を兼ねてもよい。
【００２４】
通信装置４０は、表示装置２００および印刷装置３００等の外部装置に通信可能に接続されるインターフェイスである。例えば、通信装置４０は、ＵＳＢ（Universal Serial Bus）およびＬＡＮ（Local Area Network）等のインターフェイスを含んで構成される。なお、通信装置４０は、例えば、Ｗｉ−ＦｉまたはＢｌｕｅｔｏｏｔｈ等により外部装置に無線接続されてもよいし、ＬＡＮ（Local Area Network）またはインターネット等を介して外部装置に接続されてもよい。なお、ＨＤＭＩ、Ｗｉ−ＦｉおよびＢｌｕｅｔｏｏｔｈは、それぞれ、登録商標である。
【００２５】
以上の構成の画像表示制御装置１において、処理装置１０は、記憶装置２０から画像表示制御プログラムＰ１を読み込んで実行する。この実行により、処理装置１０は、プロファイル受付部１１、画像情報生成部１２、表示制御部１３、設定受付部１４、共通操作受付部１５および個別操作受付部１６として機能する。以下、これらを順次説明する。
【００２６】
図１に示すプロファイル受付部１１は、複数の色変換プロファイルＤｎの入力を受け付ける。前述のように、複数の色変換プロファイルＤｎには、色変換プロファイルＤ１、Ｄ２およびＤ３が含まれる。色変換プロファイルＤ１は、第１色空間における座標値とインク量との対応付けに関する情報を含む第１色変換プロファイルである。色変換プロファイルＤ２は、第２色空間における座標値とインク量との対応付けに関する情報を含む第２色変換プロファイルである。色変換プロファイルＤ３は、第３色空間における座標値とインク量との対応付けに関する情報を含む第３色変換プロファイルである。第１色空間と第２色空間と第３空間とは同じでも異なってもよい。
【００２７】
なお、以下では、色変換プロファイルＤ１、Ｄ２およびＤ３を区別しない場合、色変換プロファイルＤ１、Ｄ２およびＤ３を総称して色変換プロファイルＤｎともいう。また、第１色空間、第２色空間および第３空間を区別しない場合、第１色空間、第２色空間および第３空間を総称して色空間ともいう。
【００２８】
図２は、色変換プロファイルＤｎの構成例を示す図である。図２に示す色変換プロファイルＤｎは、情報ＴＢＬ１、ＴＢＬ２およびＴＢＬ３を含む。
【００２９】
情報ＴＢＬ１およびＴＢＬ２は、それぞれ、色空間ＣＳ１の座標値と色空間ＣＳ２の座標値との対応付けに関する情報である。より具体的には、情報ＴＢＬ１は、色空間ＣＳ１の座標値（Ｃｉ，Ｍｉ，Ｙｉ，Ｋｉ）から色空間ＣＳ２の座標値（Ｌｉ，ａｉ，ｂｉ）に変換するＡ２Ｂテーブルである。変数ｉは、色空間ＣＳ１に設定される格子点ＧＤ１を識別する変数である。格子点ＧＤ１は、通常、色空間ＣＳ２の各軸に沿う方向へ等間隔に並べられる。一方、情報ＴＢＬ２は、色空間ＣＳ２の座標値（Ｌｊ，ａｊ，ｂｊ）から色空間ＣＳ１の座標値（Ｃｊ，Ｍｊ，Ｙｊ，Ｋｊ）に変換するＢ２Ａテーブルである。変数ｊは、色空間ＣＳ２に設定される格子点ＧＤ２を識別する変数である。格子点ＧＤ２は、通常、色空間の各軸に沿う方向へ等間隔に並べられる。
【００３０】
色空間ＣＳ１は、例えば、デバイスに依存する機器従属色空間である。図２では、色空間ＣＳ１がＣＭＹＫ色空間である場合が例示される。一方、色空間ＣＳ２は、いわゆるプロファイル接続空間（ＰＣＳ）であり、例えば、デバイスに依存しない機器独立色空間である。図２では、色空間ＣＳ２がＣＩＥＬＡＢ色空間である場合が例示される。なお、色空間ＣＳ１は、出力デバイスが利用可能な色空間であればよく、ＣＭＹＫ色空間に限定されず、例えば、ＣＭＹ色空間、または出力デバイス独自の色空間でもよい。また、色空間ＣＳ２は、デバイスに依存しない色空間であればよく、ＣＩＥＬＡＢ色空間に限定されず、例えば、ＸＹＺ色空間等でもよい。
【００３１】
情報ＴＢＬ３は、色空間ＣＳ２の座標値（Ｃｊ，Ｍｊ，Ｙｊ，Ｋｊ）とインク量を示す値（ｃｊ，ｍｊ，ｙｊ，ｋｊ）との対応付けに関する情報である。例えば、情報ＴＢＬ３は、前述のＢ２Ａテーブルである情報ＴＢＬ２での変換後の座標値をインク量に変換するルックアップテーブルである。値（ｃｊ，ｍｊ，ｙｊ，ｋｊ）は、例えば、前述のインク噴射ヘッド３１０のインク色に対応しており、各色のインク使用量を表す階調値である。
【００３２】
図１に示す画像情報生成部１２は、前述のプロファイル受付部１１で入力済みの複数の色変換プロファイルＤｎについて各色空間の三次元形状を示す画像情報を生成する。当該三次元形状は、例えば、当該色空間の外郭の形状である。当該画像情報は、例えば、当該三次元形状を示す３次元コンピュータグラフィックス情報である。より具体的に説明すると、例えば、当該画像情報は、前述のＡ２Ｂテーブルである情報ＴＢＬ１における色空間ＣＳ２の外郭を格子点Ｇ１ごとの座標値（Ｌｉ，ａｉ，ｂｉ）を用いて表す情報である。色変換プロファイルＤ１の情報ＴＢＬ１における色空間ＣＳ２の三次元形状を示す画像情報は、第１画像情報の一例である。色変換プロファイルＤ２の情報ＴＢＬ１における色空間ＣＳ２の三次元形状を示す画像情報は、第２画像情報の一例である。色変換プロファイルＤ３の情報ＴＢＬ１における色空間ＣＳ２の三次元形状を示す画像情報は、第３画像情報の一例である。なお、当該画像情報の形式は、任意である。
【００３３】
図１に示す表示制御部１３は、表示装置２００の表示を制御する。具体的には、表示制御部１３は、前述の画像情報生成部１２からの画像情報に基づく三次元形状を表す画像を表示装置２００に表示させる。この表示の際には、必要に応じて、当該画像情報における座標系を表示装置２００における座標系に変換する処理等の各種処理が行われる。
【００３４】
特に、表示制御部１３は、複数の色変換プロファイルＤｎから選択される２以上の色変換プロファイルＤｎについての画像情報に基づく三次元形状を表す画像を並べて表示装置２００に表示させる。本実施形態では、当該２以上の色変換プロファイルＤｎが色変換プロファイルＤ１、Ｄ２およびＤ３である。ここで、色変換プロファイルＤ１についての画像情報に基づく三次元形状を表す画像は、第１画像の一例である。色変換プロファイルＤ２についての画像情報に基づく三次元形状を表す画像は、第２画像の一例である。色変換プロファイルＤ３についての画像情報に基づく三次元形状を表す画像は、第３画像の一例である。これらの画像には、前述のＡ２Ｂテーブルである情報ＴＢＬ１における色空間ＣＳ２の各軸が設定される。
【００３５】
図３は、表示に用いる色変換プロファイルＤｎの選択を受け付けるための表示例を示す図である。表示制御部１３は、図３に示す表示プロファイル選択画像ＧＵ１を表示装置２００に表示させる。表示プロファイル選択画像ＧＵ１は、入力装置３０を用いるユーザーからの操作により、表示に用いる色変換プロファイルＤｎの選択を受け付けるための画像である。表示プロファイル選択画像ＧＵ１は、入力済みの複数の色変換プロファイルＤｎについて、当該複数の色変換プロファイルＤｎの数に対応する表示領域ごとに、表示するか否かの選択のためのチェックボックスＢ１ａ、Ｂ１ｂおよびＢ１ｃを有する。図３では、入力済みの３つの色変換プロファイルＤ１、Ｄ２およびＤ３を示すプロファイルＡ、ＢおよびＣの表示と、プロファイルＡ、ＢおよびＣに対応する表示領域を示すビューアーａ、ｂおよびｃの表示とを含む表示プロファイル選択画像ＧＵ１が例示される。また、図３では、ビューアーａにプロファイルＡを表示させ、ビューアーｂにプロファイルＡおよびＢに表示させ、ビューアーｃにプロファイルＡおよびＣを表示させる場合が例示される。以下、この場合における表示例について説明する。
【００３６】
図４は、複数の色変換プロファイルＤｎについて色空間の三次元形状を表す画像ＧＡ、ＧＢおよびＧＣを並べる表示例を示す図である。図４に示す例では、親ウインドウである表示窓ＷＭと、３つの子ウインドウである表示窓ＷＡ、ＷＢおよびＷＣとが表示される。表示窓ＷＭは、画像表示制御プログラムＰ１の実行中に表示されるアプリケーションウインドウである。表示窓ＷＡ、ＷＢおよびＷＣは、それぞれ、表示窓ＷＭ内に表示されるウインドウである。より具体的には、表示窓ＷＡは、前述のビューアーａに対応しており、色変換プロファイルＤ１における色空間の三次元形状を表す画像ＧＡを第１画像として表示する。表示窓ＷＢは、前述のビューアーｂに対応しており、色変換プロファイルＤ２における色空間の三次元形状を表す画像ＧＢを第２画像として表示する。表示窓ＷＣは、前述のビューアーｃに対応しており、色変換プロファイルＤ３における色空間の三次元形状を表す画像ＧＣを第３画像として表示する。
【００３７】
図４に示す例では、表示窓ＷＡ、ＷＢおよびＷＣが互いに重ならずに並んで配置される。この配置は、画像ＧＡ、ＧＢおよびＧＣを相互に比較しやすいという利点がある。また、表示窓ＷＡには、画像ＧＡのみが表示されるが、表示窓ＷＢには、画像ＧＡおよびＧＢが重ねて表示され、同様に、表示窓ＷＣには、画像ＧＡおよびＧＣが重ねて表示される。以上のように、画像ＧＡを表示窓ＷＡに表示するだけでなく表示窓ＷＢおよびＷＣにも表示することで、画像ＧＡと画像ＧＢまたはＧＣとの比較がより容易になる。以上のように、表示窓ＷＡ、ＷＢおよびＷＣのそれぞれでは、画像ＧＡ、ＧＢおよびＧＣのうちの１つの画像を表示する通常表示モードと、画像ＧＡ、ＧＢおよびＧＣのうちの２以上の画像を重ねて表示する比較表示モードとのいずれかを選択できる。
【００３８】
画像ＧＡ、ＧＢおよびＧＣは、それぞれ、入力装置３０を用いるユーザーからの操作により、姿勢、位置または大きさ等の変更を受け付ける。
【００３９】
図５は、色空間の三次元形状を表す画像ＧＡに対する操作を説明するための図である。図５に示すように、画像ＧＡは、図５中の方向αで示すように、軸線ＲＸまわりに回転可能である。例えば、入力装置３０がマウスである場合、当該マウスの左ドラック操作に応じて画像ＧＡを回転させる。また、画像ＧＡは、図５中の方向βで示すように、拡大または縮小可能である。例えば、入力装置３０がマウスである場合、当該マウスのスクロール操作に応じて画像ＧＡを拡大または縮小させる。さらに、画像ＧＡは、図５中の方向γで示すように、移動可能である。例えば、入力装置３０がマウスである場合、当該マウスの右ドラック操作に応じて画像ＧＡを移動させる。なお、図５では、画像ＧＡが代表的に図示されるが、画像ＧＢおよびＧＣに対する操作は、画像ＧＡに対する操作と同様である。
【００４０】
図１に示す設定受付部１４は、表示装置２００への表示に関する各種設定を受け付ける。当該設定としては、例えば、視点設定、描画設定、カラー設定、Ｃｒｏｐ設定および操作範囲選択等が挙げられる。以下、各設定について説明する。
【００４１】
図６は、色空間の三次元形状を表す画像に対する視点の設定を受け付けるための表示例を示す図である。設定受付部１４は、表示制御部１３を通じて、図６に示す視点設定画像ＧＵ２を表示装置２００に表示させる。視点設定画像ＧＵ２は、入力装置３０を用いるユーザーからの操作により、ユーザーからみる画像ＧＡ、ＧＢまたはＧＣの視点の設定を受け付けるための画像である。視点設定画像ＧＵ２は、アクティブ状態の表示窓ＷＡ、ＷＢまたはＷＣに表示される画像ＧＡ、ＧＢまたはＧＣの向きを設定するためのボタンＢ２ａ、Ｂ２ｂ、Ｂ２ｃ、Ｂ２ｄ、Ｂ２ｅおよびＢ２ｆを有する。ボタンＢ２ａ、Ｂ２ｂ、Ｂ２ｃ、Ｂ２ｄ、Ｂ２ｅおよびＢ２ｆに設定される画像ＧＡ、ＧＢまたはＧＣの向きは、９０°ずつずれる向きである。
【００４２】
具体的には、ボタンＢ２ａは、例えば、画像ＧＡ、ＧＢまたはＧＣに設定されるＬ＊軸の正側が表示される設定のためのＴＯＰボタンである。ボタンＢ２ｂは、例えば、画像ＧＡ、ＧＢまたはＧＣに設定されるＬ＊軸の負側が表示される設定のためのＢｏｔｔｏｍボタンである。ボタンＢ２ｃは、例えば、画像ＧＡ、ＧＢまたはＧＣに設定されるｂ＊軸の負側が表示される設定のためのＦｒｏｎｔボタンである。ボタンＢ２ｄは、例えば、画像ＧＡ、ＧＢまたはＧＣに設定されるｂ＊軸の正側が表示される設定のためのＢａｃｋボタンである。ボタンＢ２ｅは、例えば、画像ＧＡ、ＧＢまたはＧＣに設定されるａ＊軸の負側が表示される設定のためのＬｅｆｔボタンである。ボタンＢ２ｆは、例えば、画像ＧＡ、ＧＢまたはＧＣに設定されるａ＊軸の正側が表示される設定のためのＲｉｇｈｔボタンである。
【００４３】
図７は、視点ごとの画像ＧＡの表示例を示す図である。図７に示すように、ボタンＢ２ａ、Ｂ２ｂ、Ｂ２ｃ、Ｂ２ｄ、Ｂ２ｅおよびＢ２ｆに対する操作に応じて、画像ＧＡの視点が変更される。なお、図７では、画像ＧＡが代表的に図示されるが、画像ＧＢおよびＧＣの視点の設定は、画像ＧＡの視点の設定と同様である。
【００４４】
図８は、表示に用いる色変換プロファイルＤｎの情報の選択を受け付けるための表示例を示す図である。図１に示す設定受付部１４は、表示制御部１３を通じて、図８に示す表示情報選択画像ＧＵ３を表示装置２００に表示させる。表示情報選択画像ＧＵ３は、入力装置３０を用いるユーザーからの操作により、画像ＧＡ、ＧＢおよびＧＣの表示形式に関する複数の設定を受け付けるための画像である。当該操作により、設定受付部１４は、画像ＧＡ、ＧＢおよびＧＣの表示形式に関する複数の設定から選択される１以上の設定を受け付ける。このため、画像ＧＡ、ＧＢおよびＧＣのうちの１以上における表示形式を適時変更することにより、画像ＧＡ、ＧＢおよびＧＣの相互の比較が容易となる。表示情報選択画像ＧＵ３は、描画設定のための領域Ｒ１と、カラー設定のための領域Ｒ２と、Ｃｒｏｐ設定のための領域Ｒ３と、を有する。
【００４５】
領域Ｒ１は、描画設定のためのボタンＢ３ａ、Ｂ３ｂ、Ｂ３ｃ、Ｂ３ｄ、Ｂ３ｅ、Ｂ３ｆ、Ｂ３ｇおよびＢ３ｈを有する。ボタンＢ３ａは、ドットモデルによる表示を行うか否かの設定のためのボタンである。ボタンＢ３ｂは、サーフェスモデルによる表示を行うか否かの設定のためのボタンである。ボタンＢ３ｃは、同一表示窓内に２以上の色変換プロファイルが選択される場合、体積比較のための表示を行うか否かの設定のためのボタンである。ボタンＢ３ｄは、インク量の有無の表示を行うか否かの設定のためのボタンである。ボタンＢ３ｅは、インク量の有無の表示を行う場合の対象となるインク色を選択するための選択欄である。ボタンＢ３ｇは、表示の対象となる色空間が４次元以上である場合に色彩値を固定する対象となるインク色を選択するための選択欄である。ボタンＢ３ｈは、表示の対象となる色空間が４次元以上である場合に色彩値を固定する対象となるインク色の固定値を選択するための選択欄である。
【００４６】
領域Ｒ２は、カラー設定のためのボタンＢ３ｉ、Ｂ３ｊ、Ｂ３ｋ、Ｂ３ｌおよびＢ３ｍを有する。ボタンＢ３ｉは、カラー表示を行うか否かの設定するためのボタンである。ボタンＢ３ｊは、カラー表示を行う場合に色彩値Ｌ＊ａ＊ｂ＊による表示色とするか否かの設定するためのボタンである。ボタンＢ３ｋは、カラー表示を行う場合に色再現精度に応じた表示色とするか否かの設定するためのボタンである。ボタンＢ３ｌは、同一表示窓内に２以上の色変換プロファイルが選択される場合、形状の比較結果に応じた表示色とするか否かの設定するためのボタンである。ボタンＢ３ｍは、カラー表示を行う場合にインク量に応じた表示色とするか否かの設定するためのボタンである。
【００４７】
領域Ｒ３は、Ｃｒｏｐ設定のためのスライドバーＳ３ａ、Ｓ３ｂ、Ｓ３ｃ、Ｓ３ｄ、Ｓ３ｅおよびＳ３ｆと入力欄Ｔ３ａ、Ｔ３ｂ、Ｔ３ｃ、Ｔ３ｄ、Ｔ３ｅおよびＴ３ｆとを有する。これらは、前述の色空間ＣＳ１における各軸方向の範囲を設定するためのウィジェットである。スライドバーＳ３ａおよび入力欄Ｔ３ａは、それぞれ、Ｃ軸方向の最小値の設定に用いられる。スライドバーＳ３ｂおよび入力欄Ｔ３ｂは、それぞれ、Ｃ軸方向の最大値の設定に用いられる。スライドバーＳ３ｃおよび入力欄Ｔ３ｃは、それぞれ、Ｍ軸方向の最小値の設定に用いられる。スライドバーＳ３ｄおよび入力欄Ｔ３ｄは、それぞれ、Ｍ軸方向の最大値の設定に用いられる。スライドバーＳ３ｅおよび入力欄Ｔ３ｅは、それぞれ、Ｙ軸方向の最小値の設定に用いられる。スライドバーＳ３ｆおよび入力欄Ｔ３ｆは、それぞれ、Ｙ軸方向の最大値の設定に用いられる。図８では、色空間ＣＳ１における各軸における格子点数が１７個である場合が例示される。
【００４８】
図９は、描画設定ごとの画像ＧＡの表示例を示す図である。図８に示すボタンＢ３ａ、Ｂ３ｂ、Ｂ３ｄ、Ｂ３ｅおよびＢ３ｆに対する操作に応じて、図９に示すように、画像ＧＡの描画設定が変更される。図９中下段左側に示すように、サーフェスモデルで表示する場合、画像ＧＡが表す三次元形状の表面の形状を視認しやすいという利点がある。図９中上段右側に示すように、ワイヤーフレームモデルで表示する場合、画像ＧＡが表す三次元形状の全体を一つの視点からでも視認しやすいという利点がある。図９中上段左側に示すように、ドットモデルで表示する場合、表示するドットを色空間の格子点に対応させることにより、画像ＧＡが表す三次元形状の表面における格子点（色空間の座標値）の位置を視認しやすいという利点がある。ここで、画像ＧＡは、複数の三角形で構成されるポリゴンモデルである。図９中下段右側に示すように、画像ＧＡにインク量の有無を表示する場合、表示制御部１３は、当該複数の三角形のうち、３頂点に対応するインク量がゼロである三角形を表示しない。このため、色変換プロファイルＤ１のインク量に起因する色再現不能な領域を容易に視認することができる。なお、図９では、画像ＧＡが代表的に図示されるが、画像ＧＢおよびＧＣの描画設定は、画像ＧＡの描画設定と同様である。
【００４９】
図１０は、固定入力ｃｈ設定による画像ＧＡの表示例を示す図である。図８に示すボタンＢ３ｇおよびＢ３ｈに対する操作に応じて、図１０に示すように、画像ＧＡの描画設定が変更される。ここで、図１に示す画像情報生成部１２は、表示の対象となる４次元以上の色空間における３次元の情報を用いて画像情報を生成し、残りの次元の情報を固定値に設定する。このため、表示の対象となる色空間が４次元以上であっても、当該色空間の色再現領域に基づく三次元形状を画像ＧＡとして表示することができる。なお、図１０では、画像ＧＡが代表的に図示されるが、画像ＧＢおよびＧＣについても、画像ＧＡと同様である。
【００５０】
図１１は、カラー設定ごとの画像ＧＡの表示例を示す図である。図１１中上段左側を除いて示すように、画像ＧＡに表示色がある場合、画像ＧＡが表す三次元形状の表面の形状を視認しやすいという利点がある。この場合、当該三次元形状をサーフェスモデルで表示することが好ましい。図１１中上段左側に示すように、画像ＧＡに表示色がない場合、画像ＧＡが表す三次元形状の表裏の形状を１つの視点からでも視認しやすいという利点がある。この場合、当該三次元形状をワイヤーフレームモデルまたはドットモデルで表示することが好ましい。図１１中上段中央に示すように、画像ＧＡに色彩値Ｌ＊ａ＊ｂ＊を示す配色がある場合、画像ＧＡが表す三次元形状と色彩値との関係を視認することができる。図１１中上段右側に示すように、画像ＧＡに色再現精度を示す配色がある場合、画像ＧＡが表す三次元形状と色再現精度との関係を視認することができる。図１１中下段に示すように、画像ＧＡが第１色空間の座標値ごとのインク量を示す場合、色変換プロファイルＤ１のインク量に起因する色再現性を視認することができる。この場合、図１１中下段左側に示すように、画像ＧＡが第１色空間の座標値ごとのインク量に基づく配色を有すことが好ましい。図１１中下段右側に示す画像ＧＡは、前述の図９中下段右側に示す画像ＧＡと同様である。なお、図１１では、画像ＧＡが代表的に図示されるが、画像ＧＢおよびＧＣのカラー設定は、画像ＧＡのカラー設定と同様である。
【００５１】
図１２は、格子点数の変更による画像ＧＡの表示例を示す図である。図８に示すスライドバーＳ３ａ、Ｓ３ｂ、Ｓ３ｃ、Ｓ３ｄ、Ｓ３ｅ、Ｓ３ｆ、入力欄Ｔ３ａ、Ｔ３ｂ、Ｔ３ｃ、Ｔ３ｄ、Ｔ３ｅおよびＴ３ｆに対する操作に応じて、図１２に示すように、画像ＧＡの格子点数が変更される。図１２では、画像ＧＡが表す色空間の格子点の数を少なくした場合が図示される。この場合、画像ＧＡが表す三次元形状の表面に当該色空間の内部の格子点を配置することができる。このため、当該色空間の外郭面よりも内側の部分の格子点の配置を視認しやすいという利点がある。なお、図１２では、画像ＧＡが代表的に図示されるが、画像ＧＢおよびＧＣの格子点数の変更は、画像ＧＡの格子点数の変更と同様である。
【００５２】
図１に示す共通操作受付部１５は、画像ＧＡ、ＧＢおよびＧＣに対する共通の操作を受け付ける。これに対し、個別操作受付部１６は、画像ＧＡ、ＧＢおよびＧＣに対する個別の操作を受け付ける。本実施形態では、共通操作受付部１５を用いる共通操作モードと、個別操作受付部１６を用いる個別操作モードと、が選択的に実行される。
【００５３】
図１３は、色空間の三次元形状を表す画像ＧＡ、ＧＢおよびＧＣに対する共通操作または個別操作の設定を受け付けるための表示例を示す図である。共通操作受付部１５および個別操作受付部１６は、表示制御部１３を通じて、図１３に示す操作範囲選択画像ＧＵ４を表示装置２００に表示させる。操作範囲選択画像ＧＵ４は、入力装置３０を用いるユーザーからの操作により、共通操作モードおよび共通表示形式を行うか否かの設定を受け付けるための画像である。操作範囲選択画像ＧＵ４は、共通操作モードを実行するか否かの設定のためのボタンＢ４ａと、画像ＧＡ、ＧＢおよびＧＣの表示形式を合わせるか否かの設定のためのボタンＢ４ｂと、を有する。
【００５４】
図１４は、共通操作による画像ＧＡおよびＧＢの遷移の一例を示す図である。画像ＧＡ、ＧＢおよびＧＣの表示形式を合わせる場合、図１４に示すように、画像ＧＡの表示形式を変更すると、画像ＧＢの表示形式も同じ設定に変更される。このため、設定変更の操作負担が軽減されるとともに、画像ＧＡと画像ＧＢとの比較が容易となる。
【００５５】
図示しないが、共通操作受付部１５が画像ＧＡおよびＧＢに対する共通の操作を受け付けることにより、前述の図５に示すような画像ＧＡの姿勢、位置または大きさ等を変更しても、画像ＧＡと画像ＧＢとを容易に比較することができる。
【００５６】
一方、個別操作受付部１６が画像ＧＡおよびＧＢに対する個別の操作を受け付けることにより、画像ＧＡおよびＧＢの表示形式が異なる場合、画像ＧＡと画像ＧＢとを重ねた場合であっても、これらの画像の比較を容易に行うことができる。
【００５７】
設定受付部１４は、図８に示すボタンＢ３ｃおよびＢ３ｌに対する操作に応じて、通常表示モードと比較表示モードとのいずれかの設定を受け付ける。したがって、表示制御部１３は、設定受付部１４の受け付け結果に応じて、画像ＧＡ、ＧＢおよびＧＣのうちの２以上の画像を重ねて表示する比較表示モードを実行可能である。当該比較表示モードは、画像ＧＡと画像ＧＢとを重ねて表示する場合、第１色空間の体積と第２色空間の体積との相違に基づいて、画像ＧＡおよび画像ＧＢの一方を他方に対して透過させる。このため、色変換プロファイルＤ１の色再現域と色変換プロファイルＤ２の色再現域とを詳細に比較することが容易となる。なお、画像ＧＡおよび画像ＧＢの色を互いに異ならせてもよい。この場合、画像ＧＡと画像ＧＢとを識別しやすくする観点から、互いに色相角となる色を用いることが好ましい。
【００５８】
図１５は、３つの色変換プロファイルＤ１、Ｄ２およびＤ３を表示に用いる場合の描画設定を説明するための模式図である。図１５では、説明の便宜上、画像ＧＡ、ＧＢおよびＧ３が立方体で示される。図１５に示す例では、画像ＧＡの外郭面ＳＡが最も外側に位置し、画像ＧＣの外郭面ＳＣが最も内側に位置する。したがって、画像ＧＢの外郭面ＳＢは、外郭面ＳＡと外郭面ＳＣとの間に位置する。この場合、例えば、画像ＧＡをワイヤーフレームモデルで表示し、画像ＧＢを透明度があるサーフェスモデルで表示し、画像ＧＣを透明度がないサーフェスモデルで表示することが好ましい。このように表示することで、大きさの異なる画像ＧＡ、ＧＢおよびＧ３のすべてを視認することができる。なお、前述の図４に示す表示窓ＷＡおよびＷＢでは、画像ＧＡがワイヤーフレームモデルで表示され、画像ＧＢまたはＧＣが透明度のないサーフェスモデルで表示される。
【００５９】
前述の比較表示モードでは、例えば、画像ＧＡと画像ＧＢとを重ねて表示する場合、外郭面ＳＡと外郭面ＳＢとの間の距離が最も大きい箇所に基づいて、画像ＧＡおよびＧＢのそれぞれが表す三次元形状の姿勢を決定することが好ましい。当該決定を自動で行うことにより、外郭面ＳＡと外郭面ＳＢとの間の距離が最も大きい箇所を探すための操作が不要となる。この結果、当該操作を必要とする場合に比べて、色変換プロファイルＤ１の色再現域と色変換プロファイルＤ２の色再現域との差異を迅速に評価することができる。
【００６０】
図１６は、色空間の三次元形状を表す画像ＧＡおよびＧＢに対する視点の変更方法の一例を説明するための図である。図１６では、色変換プロファイルＤ１と色変換プロファイルＤ２との色再現域の差異が最も大きい位置に基づいて、画像ＧＡおよびＧＢに対する視点を変更する処理の一例が示される。具体的には、まず、処理ＳＴ１：画像ＧＡおよびＧＢの表示に用いる色空間の中央点を基準とし、ある１軸と平行な直線を設定する。次に、処理ＳＴ２：外郭面ＳＡを構成する複数の三角形ＳＡ１と、外郭面ＳＢを構成する複数の三角形ＳＢ１とから、当該直線と交点をもつ三角形を探索する。探索により得られる交点のうち、最も中央点に近い交点と、最も遠い交点との距離を算出する。処理ＳＴ３：処理ＳＴ１の当該直線を既定の軸まわりに既定量回転させ、前述の処理ＳＴ２を行う。このとき、より距離が大きい方の直線を保存しておく。処理ＳＴ４：色空間の全域を網羅するまで処理ＳＴ３を繰り返す。なお、処理ＳＴ３では、例えば、回転量を３０°とし、色空間の各軸ごとに、０°から３６０°まで回転処理を行う。
【００６１】
以上の処理ＳＴ１からＳＴ４により求められた直線に基づいて、視点が設定される。例えば、図１６中の視点ＥＹ１のように、色空間の中央点を注視点とし、当該直線に沿う方向が視線方向となる。また、図１６中の視点ＥＹ２およびＥＹ３のように、三角形ＳＡ１と三角形ＳＢ１との間を注視点としてもよく、この場合、図１６中の視点ＥＹ２のように、Ｌ＊軸等の軸に垂直な方向を視線方向としてもよいし、図１６中の視点ＥＹ３のように、当該直線に対して垂直で色空間の中央点にできるだけ向かう方向を視線方向としてもよい。
【００６２】
図１７は、色空間の体積を比較する場合の画像ＧＡおよびＧＢの一例を示す図である。図８に示すボタンＢ３ｃおよびＢ３ｌに対する操作により、前述の比較表示モードが実行される。図１７では、形状比較および体積比較を行う場合が例示される。図１７に示すように、画像ＧＡと画像ＧＢとを重ねて表示する場合、第１色空間の体積値を図１７中の表示ＤＡのように画像ＧＡに対応付けて表示し、第２色空間の体積値を図１７中の表示ＤＢのように画像ＧＢに対応付けて表示してもよい。この場合、色変換プロファイルＤ１の色再現域と色変換プロファイルＤ２の色再現域との差異を数値的に評価することができる。
【００６３】
１−３．画像表示制御装置１の動作
図１８および図１９は、実施形態に係る画像表示制御装置１の動作を示すフローチャートである。画像表示制御装置１では、まず、図１８に示すステップＳ１において、プロファイル受付部１１が複数の色変換プロファイルＤｎの入力を受け付ける。次に、ステップＳ２において、画像情報生成部１２が入力済みの複数の色変換プロファイルＤｎについて各色空間の三次元形状を示す画像情報を生成する。その後、ステップＳ３において、表示制御部１３が、表示に用いる色変換プロファイルＤｎの選択を受け付ける。そして、ステップＳ４において、表示制御部１３が、設定受付部１４を通じて、視点設定、描画設定、カラー設定およびＣｒｏｐ設定を行う。
【００６４】
図１９に示すステップＳ５において、表示制御部１３が、設定受付部１４を通じて、比較表示モードの設定の指示があるか否かを判断する。比較表示モードの設定の指示がない場合、ステップＳ６において、表示制御部１３は、通常表示モードに設定する。一方、比較表示モードの設定の指示がある場合、ステップＳ７において、表示制御部１３は、比較表示モードに設定する。
【００６５】
その後、ステップＳ８において、表示制御部１３が、共通操作受付部１５および個別操作受付部１６を通じて、共通操作モードの設定の指示があるか否かを判断する。共通操作モードの設定の指示がない場合、ステップＳ９において、表示制御部１３は、個別操作モードに設定する。一方、共通操作モードの設定の指示がある場合、ステップＳ１０において、表示制御部１３は、共通操作モードに設定する。
【００６６】
以上の設定の後、ステップＳ１１において、表示制御部１３が、選択済みの２以上の色変換プロファイルＤｎについての画像を表示装置２００に表示させる。その後、ステップＳ１２において、表示制御部１３は、表示画像に対する操作があるか否かを判断し、当該操作がある場合、表示画像の姿勢、位置または大きさ等を変更する表示操作を行う。一方、当該操作がない場合、表示制御部１３は、設定画像に対する設定操作があるか否かを判断し、当該操作がない場合、前述のステップＳ１２に移行する。一方、当該操作がある場合、ステップＳ１６において、終了指示があるか否かを判断し、終了指示ない場合、前述のステップＳ１に戻る。一方、終了指示がある場合、終了する。
【００６７】
以上のように、画像表示制御装置１は、第１色変換プロファイルである色変換プロファイルＤ１と第２色変換プロファイルである色変換プロファイルＤ２との入力を受け付け、これらの色変換プロファイルにおける色空間の三次元形状を示す画像情報とをそれぞれ生成し、これらの画像情報に基づく三次元形状を表す画像を並べて表示装置２００に表示させる。
【００６８】
２．変形例
以上、本発明の画像表示制御装置、画像表示制御方法および画像表示制御プログラムについて図示の実施形態に基づいて説明したが、本発明は、これらに限定されない。また、本発明の各部の構成は、前述した実施形態の同様の機能を発揮する任意の構成に置換することができ、また、任意の構成を付加することもできる。また、本発明は、前述した各実施形態の任意の構成同士を組み合わせるようにしてもよい。
【００６９】
図２０は、表示に用いる色変換プロファイルＤｎの情報の選択を受け付けるための表示の変形を示す図である。図２０では、色変換プロファイルＤｎにおける色空間が３次元であり、当該色空間における各軸における格子点数が１７個である場合が例示される。この場合、ボタンＢ３ｇおよびＢ３ｈがグレースケール表示となり、ボタンＢ３ｇおよびＢ３ｈへの操作が無効化される。
【００７０】
また、前述の実施形態では、パーソナルコンピューター等のコンピューターに画像表示制御プログラムをインストールする構成が例示されるが、当該構成に限定されない。例えば、画像表示制御プログラムは、プリンター等の出力デバイス、タブレット端末またはスマートフォン等の携帯機器にインストールされてもよい。
【符号の説明】
【００７１】
１…画像表示制御装置、１１…プロファイル受付部、１２…画像情報生成部、１３…表示制御部、１４…設定受付部、１５…共通操作受付部、１６…個別操作受付部、２００…表示装置、３００…印刷装置、Ｄ１…色変換プロファイル、Ｄ２…色変換プロファイル、Ｄ３…色変換プロファイル、Ｄｎ…色変換プロファイル、ＧＡ…画像、ＧＢ…画像、ＧＣ…画像。
【図１】
2020205563.tif 000003
【図２】
2020205563.tif 000004
【図３】
2020205563.tif 000005
【図４】
2020205563.tif 000006
【図５】
2020205563.tif 000007
【図６】
2020205563.tif 000008
【図７】
2020205563.tif 000009
【図８】
2020205563.tif 000010
【図９】
2020205563.tif 000011
【図１０】
2020205563.tif 000012
【図１１】
2020205563.tif 000013
【図１２】
2020205563.tif 000014
【図１３】
2020205563.tif 000015
【図１４】
2020205563.tif 000016
【図１５】
2020205563.tif 000017
【図１６】
2020205563.tif 000018
【図１７】
2020205563.tif 000019
【図１８】
2020205563.tif 000020
【図１９】
2020205563.tif 000021
【図２０】
2020205563.tif 000022